(57)【要約】【課題】組立後の収納容器で皿部材が下方に抜け出てしまわぬ構造にすることで、ハカマ部材のデザインが制約されたり、組立が面倒でコストがかかるということのない収納容器とする。【解決手段】組立後の収納容器で皿部材が下方に抜け出てしまわぬようにするという目的を、切り割り溝の下端部には皿部材の係合ピンを係止可能とするピン係止部を形成し、皿部材の係合ピンが通過可能であるように内筒部材の下端と切り割り溝の下端をつなぐ導入溝と、内筒部材の切り割り溝へ導入された皿部材の係合ピンが導入溝へ行かぬように皿部材の回転を阻止する皿回転防止機構を設けることで達成する。【選択図】図２
2006075451.tif 000002
【特許請求の範囲】
【請求項１】
下部に軸心方向の切り割り溝が形成された筒状の内筒部材と、内部に螺旋溝が形成され前記内筒部材の切り割り溝が形成された部位を回動可能ではあるが抜け出し不能に覆うラセン部材と、外面に内筒部材の切り割り溝及びラセン部材の螺旋溝と係合する係合ピンが形成され内筒部材内に上下移動可能に形成された皿部材と、上部に蓋嵌合部が形成されラセン部材の外周を回動不能に覆う袴部材とから構成される口紅等の収納容器において、切り割り溝の下端部には皿部材の係合ピンを係止可能とするピン係止部を形成し、皿部材の係合ピンが通過可能であるように内筒部材の下端と切り割り溝の下端をつなぐ導入溝と、内筒部材の切り割り溝へ導入された皿部材の係合ピンが導入溝へ行かぬように皿部材の回転を阻止する皿回転防止機構を設けたことを特徴とする口紅等の収納容器。
【請求項２】
回転防止機構は皿部材の側面あるいは下面に形成された係止リブと、内筒部材の内面に形成された小突起を当接させることによって構成されることを特徴とする請求項１記載の口紅等の収納容器。
【発明の詳細な説明】
【技術分野】
【０００１】
本発明は、口紅などの化粧料を収納する口紅等の化粧品収納容器に関するものである。
【背景技術】
【０００２】
従来の口紅等の化粧品収納容器は下部に下端部まで達する軸心方向の切り割り溝が形成された筒状の内筒部材と、内部に螺旋溝が形成され前記内筒部材の切り割り溝が形成された部位を回動可能ではあるが抜け出し不能に覆うラセン部材と、外面に内筒部材の切り割り溝及びラセン部材の螺旋溝と係合する係合ピンが形成され内筒部材内に上下移動可能に形成された皿部材と、上部に蓋嵌合部が形成されラセン部材の外周を回動不能に覆う袴部材とで構成されていた。
【０００３】
しかし、このように構成された従来の口紅等の化粧品収納容器は内筒部材と皿部材をセットすることができるように内筒部材の切り割り溝及びラセン部材の螺旋溝は下端部まで達するように構成されているが、容器の組立作業中は皿部材が下方に脱落してしまい作業がやりづらく、組立後の収納容器では皿部材が下方に抜け出てしまわぬように内筒部材の下部をハカマ部材の底面で押さえるようにする必要があった。そのためハカマ部材の全長を長くすることができずデザインが制約されてしまうものであった。
【０００４】
また、デザイン上どうしてもハカマ部材を長くする場合にはハカマ部材内に別部材を挿入して皿部材が下方に抜け出てしまわぬように別部材で押さえるという構造が必要であり、組立が面倒で必要となる別部材のコストがかかるという欠点があった。
【０００５】
この改善策として、特開平１０−１９２０４７号のように係止突起３ｃと位置決めスリット４ｃを利用する考えもあるが、この構造では係止突起３ｃを位置決めスリット４ｃへ導くには係止突起３ｃが案内筒４の内部へ潜り込まねばならず、そのため係止突起３ｃを必要な高さにすることができないので、皿部材が案内筒４の下方に抜け出てしまわぬように位置決めスリット４ｃ下端と係止突起３ｃを係止するには不十分なものになり、そのため繰り下げの操作で簡単に皿部材が案内筒から抜け出てしまうものであった。
【特許文献１】特開平１０−１９２０４７号公報
【発明の開示】
【発明が解決しようとする課題】
【０００６】
本発明は以上のような従来の欠点に鑑み、デザインが制約されたり、組立が面倒でコストがかかるということのない口紅等の収納容器を提供することを目的としている。
【０００７】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【０００８】
上記課題を解決するため、本発明は、組立後の収納容器では皿部材が下方に抜け出てしまわぬようにするため、切り割り溝の下端部には皿部材の係合ピンを係止可能とするピン係止部を形成し、皿部材の係合ピンが通過可能であるように内筒部材の下端と切り割り溝の下端をつなぐ導入溝と、内筒部材の切り割り溝へ導入された皿部材の係合ピンが導入溝へ行かぬように皿部材の回転を阻止する皿回転防止機構を使用することを最も主要な特徴とする。
【発明の効果】
【０００９】
本発明は以上説明したように構成されているので、以下に記載されるような効果を奏する。
【００１０】
（１）組立後の収納容器では皿部材が下方に抜け出てしまわぬように内筒部材の下部をハカマ部材の底面で押さえるようにする必要がなく、ハカマ部材を長くすることができるので、デザインが制約されてしまうことがない。
【００１１】
（２）デザイン上ハカマ部材を長くする場合にもハカマ部材内に別部材を挿入して皿部材が下方に抜け出てしまわぬようにする必要がなく、組立が面倒でコストがかかるということがない。
【００１２】
（３）容器組立の際に袴部材を組み付ける前でも皿部材が下方に脱落してしまうことがないので、作業が楽になる。
【発明を実施するための最良の形態】
【００１３】
組立後の収納容器で皿部材が下方に抜け出てしまわぬようにするという目的を、切り割り溝の下端部には皿部材の係合ピンを係止可能とするピン係止部を形成し、皿部材の係合ピンが通過可能であるように内筒部材の下端と切り割り溝の下端をつなぐ導入溝と、内筒部材の切り割り溝へ導入された皿部材の係合ピンが導入溝へ行かぬように皿部材の回転を阻止する皿回転防止機構を設けたことで実現した。
【実施例１】
【００１４】
以下、図面に示す実施例により本発明を詳細に説明する。
図１ないし図５に示す発明の第１の実施例において、１は上下が開口された筒状の内筒部材で、この内筒部材１は主に金属材が使用されその下部には軸心方向の切り割り溝２が形成されている。
【００１５】
３は前記内筒部材１の切り割り溝２が形成された部位を回動可能ではあるが内筒部材１を抜け出し不能に覆う筒状に形成されたラセン部材で、このラセン部材３の内部には下端部まで達する螺旋溝４が形成されている。この内筒部材１にラセン部材３を抜け出し不能とする方法にはいろいろな手段が考案されているがいずれの手段でも良く、図の説明では内筒部材１のほぼ中央部に環状に形成した膨出部５をラセン部材３の上部に形成した凹溝６でくわえ込むことで内筒部材１を抜け出し不能とする手段について説明している。また、本発明の構造に一般的に使用される螺旋溝４は左ネジであるので、図の説明も螺旋溝４が左ネジのものについて説明する。
【００１６】
７は棒状化粧料１２を収納して前記内筒部材１内に上下移動可能に形成された皿部材で、この皿部材７の下部外面には前記内筒部材１の切り割り溝２及びラセン部材３の螺旋溝４と係合する係合ピン８が形成され、内筒部材１とラセン部材３を回動させることで内筒部材１内で皿部材７を上下移動可能としている。この皿部材７の係合ピン８は切り割り溝２の幅よりも若干小径となるように形成されている。
【００１７】
前記内筒部材１の切り割り溝２の下部には皿部材７が下方へ脱落することを阻止することができるように係合ピン８を係止することができるピン係止部１３が形成され、さらに切り割り溝２の下端にはピン係止部１３を切り割り溝２の皿部材７の下降時に皿部材７の係合ピン８がラセン部材３の螺旋溝４によって押しつけられる側（図の説明では向かって左側）に切り割り溝２の幅の半分程度の寸法でピン係止部１３を残して内筒部材１の下端と切り割り溝２をつなぐ導入溝１４が形成されているもので、容器の組立時には皿部材７は内筒部材１の下部より内筒部材１内へ挿入されるが、その際には係合ピン８がこの導入溝１６を通って切り割り溝２へ導くことができるように構成されている。
またこの説明ではピン係止部１３は係合ピン８がラセン部材３の螺旋溝４によって押しつけられる側（図の説明では向かって左側）としてあるが、反対側であっても差しつかえない。
【００１８】
このピン係止部１３は図の説明では、切り割り溝２の一部を残した形状で形成したものについて説明してあるが、ピン係止部１３が形成されているものであれば形状はこれに限るものではなく、いずれの形状であっても差しつかえないものであるが対応する係合ピン８とほぼ同じ形状とすることが望ましい。
【００１９】
９はラセン部材３の外周を抜け出し不能でさらに回動不能に覆うハカマ部材であり、このハカマ部材９は図の説明ではハカマ部材本体１０とその上部に固定された蓋嵌合部が形成された嵌合部材本体１１より構成されるものとしてあるが、これに限らずハカマ部材本体１０と嵌合部材本体１１が１部品で形成されたものであっても良い。
【００２０】
１５は回転防止機構で、この回転防止機構１５は内筒部材１の切り割り溝２へ導入された皿部材７の係合ピン８が導入溝１４へ行かぬように皿部材７の回転を阻止するように作用するもので、内筒部材１の下方部に内面方向に形成された小突起１６と、この小突起１６と対応する部位の皿部材７の側面に形成された係止リブ１７より構成され、皿部材７が下方にある場合には小突起１６と係止リブ１７が当接することで皿部材７の回転防止としている。
【００２１】
この回転防止機構１５は上記のように作用するものであるが、収納容器の組立をする際には係合ピン８がこの導入溝１６を通って切り割り溝２へ導かれるものであるので、その際には係合ピン８の回転を防止することがないような形状とすることが望ましく、そのため小突起１６の形状は係止リブ１７と当接しない側は暖斜面１９として係止リブが容易に小突起１６を乗り越えられる形状とすることがよい。また、係止リブ１７の形状についても同様である。図の説明では、内筒部材１を金属材で成形し小突起１６の係止リブ１７が当接する側（図の向かって左側）をプレス加工で一部を切り欠くことでエッジ状とし、反対側を暖斜面１９としている。
【００２２】
１８はハカマ部材９に形成された蓋嵌合部と着脱自在に嵌合する蓋である。
【００２３】
このように構成された化粧料収納容器２０においては、容器を組み立てる際にはラセン部材３の上部より内筒部材１の下部を挿入してセットする。次に皿部材７を内筒部材１の下部より挿入するが、その際には皿部材７の係合ピン８が導入溝１６を通って切り割り溝２へ進入し、同時に係合ピン８が螺旋溝４と係合して内筒部材１とラセン部材３を回動させることで皿部材７は上昇できるようになる。次にハカマ部材９をセットすることで組立が完了する。
【００２４】
次に皿部材７を繰り下げる際には、皿部材７の下降時に皿部材７の係合ピン８がラセン部材３の螺旋溝４によって押しつけられる側（図の説明では向かって左側）に押しつけられるので、皿部材７の係合ピン８は螺旋溝４によって押しつけられる側に押しつけられながら下降する。そして係合ピン８がピン係止部１３と当接し停止する。さらに皿回転防止機構１５の作用により係合ピン８が導入溝１４側（図の説明では向かって右側）へ回転することが無く、内筒部材１から皿部材７が抜け出してしまうことがなくなる。
【実施例２】
【００２５】
次に本発明の異なる実施例につき説明する。なお、これらの説明にあたって前記発明の第１の実施例と同一構成部分には同一符号を付して重複する説明を省略する。
【００２６】
図６ないし図８に示す発明の第２の実施例において、前記発明の第１の実施例と主に異なる点は皿回転防止機構１５Ａで、この皿回転防止機構１５Ａは皿部材７Ａの係止リブ１７Ａを皿部材７Ａの底部に垂下するように形成し、内筒部材１の小突起１６Ａに当接することができるようにしたもので、このように構成された化粧料収納容器２０Ａとしてもよい。
【産業上の利用可能性】
【００２７】
構造を共通化することができ、スティックファンデ-ション、スティックアイシャドウなどの棒状化粧品にも適用できる。
【図面の簡単な説明】
【００２８】
【図１】発明の断面説明図である。（実施例１）
【図２】発明の内筒部材、皿部材、ラセン部材の説明図である。（実施例１）
【図３】発明の内筒部材、皿部材、ラセン部材の説明図である。（実施例１）
【図４】発明の内筒部材、皿部材、ラセン部材の斜視図である。（実施例１）
【図５】発明の図２のＡ−Ａ断面図および部分拡大図である。（実施例１）
【図６】発明の断面説明図である。（実施例２）
【図７】発明の内筒部材、皿部材、ラセン部材の図である。（実施例２）
【図８】発明の内筒部材、皿部材、ラセン部材の斜視図である。（実施例２）
【符号の説明】
【００２９】
１    内筒部材
２    切り割り溝
３    ラセン部材
４    螺旋溝
５    膨出部
６    凹溝
７、７Ａ    皿部材
８    係合ピン
９    ハカマ部材
１０    ハカマ部材本体
１１    蓋嵌合部材本体
１２    棒状化粧料
１３    ピン係止部
１４    導入溝
１５、１５Ａ    皿回転防止機構
１６、１６Ａ    小突起
１７、１７Ａ    係止リブ
１８    蓋
１９    暖斜面
２０、２０Ａ    化粧料収納容器
【図１】
2006075451.tif 000003
【図２】
2006075451.tif 000004
【図３】
2006075451.tif 000005
【図４】
2006075451.tif 000006
【図５】
2006075451.tif 000007
【図６】
2006075451.tif 000008
【図７】
2006075451.tif 000009
【図８】
2006075451.tif 000010